(57)【要約】  注射器はハウジングと、それに移動可能に取り付けられた作動ボタン構造体とを含む。作動ボタン構造体は作動前の位置から作動後の位置へ移動可能である。カートリッジドアは、投与対象の物質を収めたカートリッジを中に受け入れるように構成されており、開位置と閉位置との間で移動可能にハウジングに取り付けられている。ハウジングの中には、方向を変えることのできる妨害部材が取り付けられている。妨害部材は、停止位置にあるとき、作動前の位置から作動後の位置へと向かう作動ボタン構造体の動きを妨げる。作動ボタン構造体は、作動後の位置にあるときには注射器を作動させ、妨害部材の方向が停止位置から外れている場合にのみ、作動前の位置から作動後の位置へと移動可能である。カートリッジドアは、閉位置にあって、かつ中にカートリッジを受け入れているとき、妨害部材の方向を停止位置から外す。
2020529880.tif 000002
【特許請求の範囲】
【請求項１】
注射器であって、
ハウジングと、
前記ハウジングに移動可能に取り付けられており、作動前の位置から作動後の位置へと移動可能な作動ボタン構造体と、
投与対象の物質を収めたカートリッジを内部に受け入れるように構成されており、開位置と閉位置との間で移動可能に、前記ハウジングに取り付けられているカートリッジドアと、
前記ハウジングの中に取り付けられている、方向を変えることが可能な妨害部材であって、停止位置では、前記作動ボタン構造体が前記作動前の位置から前記作動後の位置へ移動するのを妨げる妨害部材と
を備え、
前記作動ボタン構造体は、前記作動後の位置にあるときには前記注射器を作動させ、
前記作動ボタン構造体が前記作動前の位置から前記作動後の位置へ移動可能であるのは、前記妨害部材の方向が前記停止位置から外れている場合のみであり、
前記カートリッジドアは、前記閉位置にあって、かつ前記カートリッジを中に受け入れているときには、前記妨害部材の方向を前記停止位置から外す
ことを特徴とする注射器。
【請求項２】
前記妨害部材は片持ち梁を含む、請求項１に記載の注射器。
【請求項３】
前記片持ち梁は、前記ハウジングに位置する第１端から、自由端である第２端まで伸びている、請求項２に記載の注射器。
【請求項４】
前記作動ボタン構造体は、そこから伸びている柱を含み、前記作動ボタン構造体が前記作動前の位置から前記作動後の位置へ移動する際、前記柱は柱用通路を通り、
前記片持ち梁は、前記停止位置では前記柱用通路に位置することにより、前記柱の移動を物理的に妨げて、前記作動ボタン構造体が前記作動前の位置から前記作動後の位置へ移動するのを妨げる、
請求項２または請求項３に記載の注射器。
【請求項５】
前記片持ち梁の自由端は、前記片持ち梁が前記停止位置にあるとき、前記柱用通路に位置している、請求項４に記載の注射器。
【請求項６】
前記カートリッジドアはその側壁に窓を含み、前記窓は前記片持ち梁に面しており、
前記片持ち梁は、そこから前記窓へ向かって突出したタブを含み、前記タブは、前記カートリッジドアが前記閉位置にあるとき、前記窓を通して前記カートリッジドアの中へ突出する
請求項２から請求項５までのいずれか一項に記載の注射器。
【請求項７】
前記カートリッジドアが前記閉位置にあるとき、前記タブは前記窓と並び、前記窓を通して突出して、前記カートリッジドアの中に受け入れられている前記カートリッジと結合して方向を変えることにより、前記片持ち梁の方向を前記停止位置から外す、請求項６に記載の注射器。
【請求項８】
少なくとも先端が前記ハウジングの中に収まる後退位置と、少なくとも前記先端が前記ハウジングから突き出す注射位置との間で移動可能な注射針
を更に備え、
前記作動ボタン構造体は前記注射針と操作可能に接続されており、前記注射器の作動には、前記注射針を前記注射位置へ移動させることが含まれる
請求項１から請求項７までのいずれか一項に記載の注射器。
【請求項９】
前記カートリッジドアは前記ハウジングに回転可能に取り付けられている、請求項１から請求項８までのいずれか一項に記載の注射器。
【請求項１０】
注射器であって、
ハウジングと、
少なくとも先端が前記ハウジングの中に収まる後退位置と、少なくとも前記先端が前記ハウジングから突き出す注射位置との間で移動可能な注射針と、
前記ハウジングには移動可能に取り付けられ、前記注射針には操作可能に接続されており、作動前の位置から作動後の位置へと移動可能な作動ボタン構造体と、
投与対象の物質を収めたカートリッジを内部に受け入れるように構成されており、開位置と閉位置との間で回転可能に、前記ハウジングに取り付けられているカートリッジドアと、
前記ハウジングの中に取り付けられている、方向を変えることが可能な片持ち梁であって、停止位置では、前記作動ボタン構造体の少なくとも一部の下にあって、前記作動ボタン構造体が前記作動前の位置から前記作動後の位置へ移動するのを物理的に妨げる片持ち梁と
を備え、
前記作動ボタン構造体は、前記作動後の位置にあるとき、前記注射針を前記注射位置へ移動させ、
前記作動ボタン構造体が前記作動前の位置から前記作動後の位置へ移動可能であるのは、前記片持ち梁の方向が前記停止位置から外れている場合のみであり、
前記カートリッジドアは、前記閉位置にあって、かつ前記カートリッジを中に受け入れているとき、前記妨害要素の方向を前記停止位置から外す
ことを特徴とする注射器。
【請求項１１】
前記作動ボタン構造体は、そこから伸びている柱を含み、
前記作動ボタン構造体が前記作動前の位置から前記作動後の位置へと移動する際、前記柱は柱用通路を通り
前記片持ち梁は、前記停止位置にあるときには前記柱用通路に位置することにより、前記柱の通行を妨げて、前記作動ボタン構造体が前記作動前の位置から前記作動後の位置へ移動するのを妨げる
請求項１０に記載の注射器。
【請求項１２】
前記片持ち梁は自由端を含み、前記片持ち梁が前記停止位置にあるとき、前記自由端は前記柱用通路に位置している、請求項１１に記載の注射器。
【請求項１３】
前記カートリッジドアはその側壁に窓を含み、前記窓は前記片持ち梁に面しており、
前記片持ち梁は、そこから前記窓に向かって突出しているタブを含み、前記カートリッジドアが前記閉位置にあるとき、前記タブは前記窓を通して前記カートリッジドアの中へ突出する
請求項１１または請求項１２に記載の注射器。
【請求項１４】
前記カートリッジドアが前記閉位置にあるとき、前記タブは前記窓と並んで前記窓を突き抜け、前記カートリッジドアの中に受け入れられている前記カートリッジと結合することにより、前記片持ち梁の方向を前記停止位置から外す、請求項１３に記載の注射器。
【発明の詳細な説明】
【技術分野】
【０００１】
本発明は注射器全般に関し、特に、注射器の早すぎる作動を阻む機構に関する。
【背景技術】
【０００２】
薬用等の注射器は典型的には、使用者の皮膚に刺さって、カートリッジの中の薬剤等の物質を使用者に注入する。時期が早すぎる等、注射器の作動が不正であると、使用者に物質が受け入れられないおそれ、少なくとも、正しい量が受け入れられないおそれがある。注射器の不正な作動に対する従来の扱いは、すでに作動した後で装置を無効化することである。しかし、このようなやり方は、カートリッジと注射器とを交換しなければならないので、費用がかかる。さらに、これらの交換、すなわち再購入は通常、物質の投与を遅らせる。しかし、その物質は時間の経過に敏感かも知れない。
【０００３】
それ故、早期作動防止機構を使用して早すぎる作動を防ぐ注射器を製造することには、すでに作動した後に注射器を無効化することよりも利点があるだろう。
【発明の概要】
【０００４】
簡単に述べれば、本発明の１つの観点による注射器は、ハウジングと、そのハウジングに移動可能に取り付けられた作動ボタン構造体とを含む。作動ボタン構造体は作動前の位置から作動後の位置へ移動可能である。カートリッジドアはその中に、投与対象の物質を収めたカートリッジを受け入れるように構成されており、開位置と閉位置との間で移動可能にハウジングに取り付けられている。ハウジングの中には、方向を変えることのできる妨害部材が取り付けられている。この妨害部材は、停止位置では、作動ボタン構造体が作動前の位置から作動後の位置へ移動するのを妨げる。作動ボタン構造体は、作動後の位置にあるとき、注射器を作動させる。作動ボタン構造体が作動前の位置から作動後の位置へ移動可能であるのは、妨害部材の方向が停止位置から外れているときのみである。カートリッジドアは、閉位置にあって、かつカートリッジを中に受け入れているとき、妨害部材の方向を停止位置から外す。
【０００５】
本発明の別の観点による注射器はハウジングと注射針とを含む。注射針は、少なくとも先端がハウジングの中に収まる後退位置と、少なくとも先端がハウジングから突き出す注射位置との間で移動可能である。作動ボタン構造体は、ハウジングには移動可能に取り付けられており、注射針には操作可能に接続されている。作動ボタン構造体は作動前の位置から作動後の位置へ移動可能である。カートリッジドアはその中に、投与対象の物質を収めたカートリッジを受け入れるように構成されている。カートリッジドアは、開位置と閉位置との間で回転可能に、ハウジングに取り付けられている。ハウジングの中には、方向を変えることのできる片持ち梁が取り付けられている。この片持ち梁は、停止位置では作動ボタン構造体の少なくとも一部の下にあって、作動ボタン構造体が作動前の位置から作動後の位置へ移動するのを物理的に妨げる。作動ボタン構造体は、作動後の位置にあるとき、注射針を注射位置へ移動させる。作動ボタン構造体が作動前の位置から作動後の位置へ移動可能であるのは、片持ち梁の方向が停止位置から外れているときのみである。カートリッジドアは、閉位置にあって、かつカートリッジを中に受け入れているときに、妨害要素の方向を停止位置から外す。
【図面の簡単な説明】
【０００６】
本発明の観点について以下に述べる詳細な説明は、添付の図面と共に読まれた場合によく理解されるであろう。しかし、示されている正確な配置および手段に発明が限定されないことは理解されるべきである。
【０００７】
【図１】本発明の実施形態による、装着型注射器の上面と前面とを表す斜視図である。
【図２】図１の線分２−２に沿った、図１の注射器の断面図である。作動ボタン構造体は作動前の位置にあり、注射針は後退位置にある。
【図３】図１の線分２−２に沿った、図１の注射器の断面図である。作動ボタン構造体は作動後の位置にあり、注射針は注射位置にある。
【図４】図２の線分４−４に沿った、図１の注射器の部分拡大断面図である。注射器のカートリッジドアは開位置にあり、その中にカートリッジが挿入されている。
【図５】図２の線分４−４に沿った、図１の注射器の部分拡大断面図である。注射器のカートリッジドアは閉位置にあり、その中にはカートリッジが挿入されていない。
【図６】図２の線分４−４に沿った、図１の注射器の部分拡大断面図である。注射器のカートリッジドアは閉位置にあり、その中にカートリッジが挿入されている。
【発明を実施するための形態】
【０００８】
以下の記述では、単に便宜上、ある種の用語が使われるが、限定的なものではない。「下側」、「底」、「上側」、「上」という語は、参照される図面において方向を示す。「内側へ」、「外側へ」、「上方へ」、「下方へ」という語はそれぞれ、本発明による注射器およびその特定の部品群の幾何学的中心へ向かう方向と、その中心から離れる方向とを意味する。以下、特に示されない限り、「ある」、「一つの」、「その」という語は、一つの要素には限られず、「少なくとも一つの」を意味するものと読まれるべきである。これらの列挙された語、それらの派生語、および類義語が用語には含まれる。
【０００９】
以下、発明の要素の寸法または特性に関して使われる、「約」、「近似的に」、「一般に」、「実質的に」等の語は、記述されている寸法／特性が厳密な境界値ではなく、そこからの小さな変動（機能的には同様な程度のもの）を排除するものではない。このことも理解されるべきである。少なくとも、記述に数値パラメータが含まれる場合、それらの数値には、技術分野において許容されている数学的、かつ工業的な原理を用いた、最下位の数字が変わらない程度の変動（たとえば、丸め誤差、測定誤差、その他の系統誤差、製造上の許容範囲）が含まれている。
【００１０】
図面では、それらの全体を通して、同様な数字は同様な要素を表す。図面を詳細に参照すると、図１−図６には、本発明の実施形態による注射器（一般には１０で指定されている。）が示されている。描かれている実施形態では、注射器１０は装着型注射器（パッチ注射器）の形をしている。非限定的な例では、装着型の薬用注射器であるが、発明はそれには限定されない。当業者には理解されるべきであるように、注射器１０は一般にハウジウング１２を含む。ハウジング１２には、使用者（たとえば患者）の皮膚面（図示せず。）に接触する第１面１４がある。この第１面１４には開口１４ａがある。描かれている実施形態では、第１面１４はハウジング１２の底面を定めている。しかし、発明はそれには限定されない。ハウジング１２はまた、第１面１４に対向する第２面１６も含む。描かれている実施形態では、第２面１６は、ハウジング１２の外面のうち、上面を定めている。しかし、本発明はそれには限定されない。
【００１１】
図２−図３に示されているように、針のハブ１８がハウジング１２の中に移動可能に取り付けられている。ハブ１８は、たとえば高分子材料、金属材料、またはそれらの組み合わせから構成されている。注射針２０はハブ１８により、当業者には周知の方法で支持されている。描かれている実施形態では、ハブ１８と注射針２０とは針の軸Ａ（図２、図３参照。）に沿って軸方向に移動可能である。針の軸Ａは、第１面１４に対して実質的に垂直に後退位置と注射位置との間で伸びている。後退位置では、少なくとも注射針２０の先端２０ａがハウジング１２の中に収まっている（図２参照）。注射位置では、少なくとも注射針２０の先端２０ａがハウジング１２から開口１４ａを通して突き出している（図３参照）。しかし、当業者には理解されるべきであるように、針の軸Ａは第１面１４に対して９０度以外の角度であってもよい。これも理解されるべきであるが、注射針２０はハブ１８とは別の機構によってハウジング１２の中に移動可能に取り付けられていてもよい。
【００１２】
押し下げることの可能な作動ボタン構造体２２は、たとえば、高分子材料、金属材料、またはそれらの組み合わせで構成されており、ハウジング１２には移動可能に取り付けられており、注射針２０には操作可能に接続されている。作動ボタン構造体２２は、当業者には周知の方法で、ボタン軸Ｂに沿って作動前の位置（図１、図２参照。）から作動後の位置（図３参照。）へ移動可能、すなわち押し下げ可能である。この移動によって注射器１０が作動する。描かれている実施形態では、ボタン軸Ｂは針の軸Ａと平行であるが、本発明はそれには限定されない。注射器１０の作動には、たとえば、注射針２０が後退位置から注射位置へ移動することも含まれる。
【００１３】
図２−図３に示されているように、付勢部材２４が作動ボタン構造体２２と注射針２０とに操作可能に接続されている。ただし、本発明はそれには限定されない。別の例として付勢部材２４は第２面１６と注射針２０とに接続されていてもよい。作動ボタン構造体２２が作動前の位置（図２参照。）にあるとき、付勢部材２４はエネルギーを蓄えた状態で安定化している。作動ボタン構造体２２が作動後の位置（図３参照。）へ移動するとき、付勢部材２４はエネルギーを解放して、注射針２０を針の軸Ａに沿って後退位置から注射位置へ移動させる。当業者には理解されるべきであるように、付勢部材２４がエネルギーを蓄えている状態は、付勢部材２４が少なくともある種の位置エネルギーを蓄えている状態である。付勢部材２４がエネルギーを解放した状態は、付勢部材２４が、以前に蓄えていた位置エネルギーのうち少なくともいくらかを解放した状態である。
【００１４】
描かれている実施形態では、付勢部材２４は、ハブ１８と作動ボタン構造体２２との間に取り付けられたコイルばねである。そのばね２４は、一端が作動ボタン構造体２２に接触しており、他端がハブ１８に接触している。エネルギーを蓄えている状態では、コイルばね２４が少なくとも部分的に圧縮されている。エネルギーを解放している状態では、コイルばね２４は（少なくとも部分的に圧縮されている、エネルギーを蓄えている状態と比べて）伸びており、ハブ１８と注射針２０とを注射位置へ移動させる。しかし、当業者には理解されるべきであるように、付勢部材２４はその他に、エネルギーを蓄えたり解放したりできる別の部材であってもよい。非限定的な例として、他のばね（たとえば、ねじりばね、板ばね）、弾性帯等がある。それらとは別に、付勢部材２４がアクチュエータであってもよい。このアクチュエータは、作動ボタン構造体２２が作動後の位置へ押し込まれたとき、注射針２０に力を加えて移動させる。
【００１５】
注射器１０はカートリッジドア２６を更に含む。カートリッジドア２６には、開放端２６ａと内溝２６ｂとが形成されている。開放端２６ａは、それを通してカートリッジ２８（図４、図６参照。）を、たとえば摺動可能に受け入れるためのものである。内溝２６ｂは、その中にカートリッジ２８を受け入れるためのものである。内溝２６ｂは、その中にカートリッジ２８を安定化させる程度の寸法と形とをしていてもよい。その他に、内溝２６ｂは、その中にカートリッジ２８を受け入れて安定化させるためのカートリッジクレードル、カートリッジトラック、独自の安定化部材、またはそれらの組み合わせ等（図示せず。）を含んでいてもよい。理解されるべきであるように、カートリッジ２８には、注射器１０から注射針２０を通して投与されるべき薬品等の物質（図示せず。）が収められている。
【００１６】
カートリッジドア２６は、開位置（図４参照。）と閉位置（図１、図５、図６参照。）との間で移動可能にハウジング１２に取り付けられている。閉位置では内溝２６ｂに、ハウジング１２の外からは手が届かない。たとえば、描かれている実施形態では、カートリッジドア２６の開放端２６ａがハウジング１２の一部によって十分に覆われている（図１参照。）ので、内溝２６ｂには手が届かない。開位置ではカートリッジドア２６の開放端２６ａの少なくとも一部が覆われていないので、内溝２６ｂの少なくとも一部には開放端２６ａから手が届く。カートリッジドア２６が全開した位置では、図４に示されているように、カートリッジドア２６の開放端２６ａが十分に開放されており、それを通して内溝２６ｂの中へカートリッジ２８を挿入することができる。
【００１７】
描かれている実施形態では、カートリッジドア２６はハウジング１２に、たとえばピン接続３０によって回転可能に取り付けられている。ただし、本発明はこれには限定されない。図４に示されているように、カートリッジドア２６は、開位置ではハウジング１２から離れる方向に回転しているので、内溝２６ｂにはカートリッジドア２６の開放端２６ａから手が届く。ハウジング１２に移動可能に取り付けられているカートリッジドア２６の他の非限定的な例としては、米国特許出願第１５／５７５，２２９号（表題“Cartridge Insertion For Drug Delivery Device”）に記述されたものが挙げられる。その内容の全体がここでは参照されるべきである。
【００１８】
方向を変えることのできる妨害部材３２がハウジング１２の中に取り付けられている。描かれている実施形態では、妨害部材３２がカートリッジドア２６と作動ボタン構造体２２との間に位置している。図４に最もよく示されているように、妨害部材３２は片持ち梁の形をしている。一つの実施形態では、この片持ち梁３２はハウジング１２から直に伸びている。ただし、発明はこれには限定されない。一つの実施形態では、この片持ち梁３２はハウジング１２と、たとえば一緒の型で作られることにより、一体に形成されている。ただし、発明はこれには限定されない。すなわち、片持ち梁３２は、ハウジング１２と別々に形成された上でそれに直接的に、または間接的に接続され、または取り付けられてもよい。
【００１９】
描かれている実施形態では、ハウジング１２はカートリッジドア２６と作動ボタン構造体２２との間に細長い壁１２ａを含む。この壁１２ａは第１面１４から実質的に垂直に突出している。しかし、当業者には理解されるべきであるように、この壁１２ａは第１面１４に対して９０度以外の角度であってもよいし、先細りであっても湾曲していてもよい。片持ち梁３２は、壁１２ａのうち、方向が変えられる部分を定めており、壁１２ａに接続された第１端３２ａから、自由端である第２端３２ｂまで伸びている。すなわち、第１端３２ａは壁１２ａにくっついており、片持ち梁３２がそのまわりで方向を変えることのできる支点を定めている。たとえば、限定ではないが、第１端３２ａは、そのまわりで片持ち梁３２が方向を変えることのできる、事実上のヒンジを定めていてもよい。方向を変えることのできる片持ち梁３２は、たとえば高分子材料、金属材料、またはそれらの組み合わせから構成されていてもよい。当業者には理解されるべきであるように、片持ち梁３２は、その材料の性質、寸法上の性質、またはそれらの組み合わせによって、方向を変えることができる。片持ち梁３２は通常は停止位置にあって、壁１２ａと実質上同じ方向である。
【００２０】
停止位置では、片持ち梁３２は、作動ボタン構造体２２が作動前の位置から作動後の位置へ、ボタン軸Ｂに沿って移動するのを妨げる。たとえば、作動ボタン構造体２２は、そこから伸びている柱２２ａを含む。描かれている実施形態では、この柱２２ａは作動ボタン構造体２２のカバー２２ｂから下方へ（すなわち、ボタン軸Ｂと平行に）伸びている。しかし、本発明はこれには限定されない。柱２２ａは、ボタン軸Ｂに対して平行な柱用通路Ｃを定める。作動ボタン構造体２２が作動前の位置から作動後の位置へ移動する間、柱用通路Ｃに沿って柱２２ａは移動する。図４、図５に示されているように、片持ち梁３２が停止位置にあるとき、その一部が柱用通路Ｃと交差する。一つの実施形態では、たとえば片持ち梁３２ｂの自由端、すなわち第２端３２ｂが柱用通路Ｃに位置してもよい。ただし、本発明はこれには限定されない。したがって、停止位置では片持ち梁３２が柱２２ａに接触して、柱２２ａが柱用通路Ｃに沿って移動するのを物理的に妨げる。それ故、片持ち梁３２は、作動ボタン構造体２２が作動前の位置から作動後の位置へ移動するのを妨げる。
【００２１】
図４−図６に示されているように、カートリッジドア２６は更に、側壁に窓２６ｃを含む。理解されるべきであるように、この窓２６ｃはその他に、中を通ることの可能な穴であって、以下に詳細に説明される機能と同じ機能を果たすものであってもよい。この窓２６ｃは、片持ち梁３２に面したカートリッジドア２６の側壁の一部に位置している。窓２６ｃを通してカートリッジドア２６の内溝２６ｂまで到達することができる。片持ち梁３２は、そこから窓２６ｃに向かって突出したタブ３２ｃを含む。カートリッジドア２６が閉位置にあるとき、片持ち梁３２のタブ３２ｃはカートリッジドア２６の窓２６ｃと並んで、それを通して突出し、カートリッジドア２６の内溝２６ｂの中に位置する。描かれている実施形態では、タブ３２ｃは片持ち梁３２から横方向に突出しており、第１面１４とほぼ平行である。しかし、本発明はこれには限定されない。
【００２２】
（図５に示されているように）内部にカートリッジ２８が挿入されていない状態でカートリッジドア２６が閉位置へ移動すると、タブ３２ｃが窓２６ｃを通してカートリッジドア２６の内溝２６ｂの中に突き出すが、片持ち梁３２の位置を停止位置からは変えない。一方、（図６に示されているように）内部にカートリッジ２８が挿入された後でカートリッジドア２６が閉位置へ移動すると、タブ３２ｃが窓２６ｃを通して突き出してカートリッジ２８に嵌まる。カートリッジ２８との接触によってタブ３２ｃは、カートリッジ２８に占拠された内溝２６ｂの中に更に突き出すことなく止まるので、タブ３２ｃの方向が変わり、片持ち梁３２の方向が停止位置から外れる（図６参照）。
【００２３】
片持ち梁３２の方向が停止位置から外れることで、片持ち梁３２が柱用通路Ｃから横方向へ外れる（たとえば図６では、第２端３２ｂが柱用通路Ｃから外れる）。これにより、作動ボタン構造体２２が、妨げられることなく、作動前の位置から作動後の位置へ移動する。それ故、作動ボタン構造体２２が作動前の位置から作動後の位置への移動を妨げられるのは、カートリッジドア２６が開位置にある場合か、カートリッジドア２６がカートリッジ２８を中に入れていない状態で閉位置へ移動した場合である。こうして、作動ボタン構造体２２が早すぎる作動を不可能にするので、注射器１０の早すぎる作動が不可能になる。カートリッジ２８がカートリッジドア２６の内溝２６ｂの中に挿入されていて、かつカートリッジドア２６が閉位置へ移動しているときにのみ、片持ち梁３２の方向は停止位置から外れる。それ故、注射器１０の作動準備が整っているとき、すなわちカートリッジ２８が装填されていて、かつカートリッジドア２６が閉じているときにのみ、作動ボタン構造体２２が作動後の位置へ移動可能である。これがこの機構の利点である。更なる利点としては、早すぎる作動を機械的に阻むこの機構がセンサーの使用を避けることで、動作に失敗する可能性がある、より複雑な追加要素が組み込まれることを避けている点が挙げられる。その他の利点としては、カートリッジドア２６が閉じるとタブ３２ｃがカートリッジ２８に嵌まることにより、内溝２６ｂの中にカートリッジ２８を安定化させるための追加の機構として機能する点も挙げられる。
【００２４】
本発明の広い概念から外れることなく上記の実施形態に変更を加えることが可能であることは、当業者には評価されるであろう。一つの例として、注射器は、作動ボタン構造体２２とハブ１８とを繋ぐリンクを含んでいてもよい。このリンクは、カートリッジ２８がカートリッジドア２６の中に入れられて、カートリッジドア２６が閉位置へ移動するまでは離れている。リンクが離れている間は作動ボタン構造体２２が移動しても、装置が作動することが妨げられる。それに代えて、またはそれに加えて、カートリッジ２８がカートリッジドア２６の中に入れられ、かつカートリッジドア２６が閉位置へ移動するまで、作動ボタン構造体が押し下げられて作動しない状態に固定されていてもよい。カートリッジ２８が入れられた場合、作動ボタン構造体２２がハブ１８に繋がれ、および／または跳ね上がり、使用者が押し下げることができるようになる。別の例として、妨害部材３２が、上記の妨害部材３２の機能を実現可能なセンサーおよび／または電子スイッチであってもよい。このように本発明は、開示された特定の実施形態には限定されない。添付の請求の範囲が与えられている本発明の精神と範囲との中で行われる変更にも、本発明は及ぶものである。
【図１】
2020529880.tif 000003
【図２】
2020529880.tif 000004
【図３】
2020529880.tif 000005
【図４】
2020529880.tif 000006
【図５】
2020529880.tif 000007
【図６】
2020529880.tif 000008
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
注射器であって、
ハウジングと、
前記ハウジングに移動可能に取り付けられており、作動前の位置から作動後の位置へと移動可能な作動ボタン構造体と、
投与対象の物質を収めたカートリッジを内部に受け入れるように構成されており、開位置と閉位置との間で移動可能に、前記ハウジングに取り付けられているカートリッジドアと、
前記ハウジングに取り付けられている、方向を変えることが可能な妨害部材であって、停止位置では、前記作動ボタン構造体が前記作動前の位置から前記作動後の位置へ移動するのを妨げる妨害部材と
を備え、
前記作動ボタン構造体は、前記作動後の位置にあるときには前記注射器を作動させ、
前記作動ボタン構造体が前記作動前の位置から前記作動後の位置へ移動可能であるのは、前記妨害部材の方向が前記停止位置から外れている場合であり、
前記カートリッジドアは、前記閉位置にあって、かつ前記カートリッジを中に受け入れているときには、前記妨害部材の方向を前記停止位置から外す
ことを特徴とする注射器。
【請求項２】
前記妨害部材は片持ち梁を含む、請求項１に記載の注射器。
【請求項３】
前記片持ち梁は、前記ハウジングに位置する第１端から、自由端である第２端まで伸びている、請求項２に記載の注射器。
【請求項４】
前記作動ボタン構造体は、そこから伸びている柱を含み、前記作動ボタン構造体が前記作動前の位置から前記作動後の位置へ移動する際、前記柱は柱用通路を通り、
前記片持ち梁は、前記停止位置では前記柱用通路に位置することにより、前記柱の移動を物理的に妨げて、前記作動ボタン構造体が前記作動前の位置から前記作動後の位置へ移動するのを妨げる、
請求項２または請求項３に記載の注射器。
【請求項５】
前記片持ち梁の自由端は、前記片持ち梁が前記停止位置にあるとき、前記柱用通路に位置している、請求項４に記載の注射器。
【請求項６】
前記カートリッジドアはその側壁に窓を含み、前記窓は前記片持ち梁に面しており、
前記片持ち梁は、そこから前記窓へ向かって突出したタブを含み、前記タブは、前記カートリッジドアが前記閉位置にあるとき、前記窓を通して前記カートリッジドアの中へ突出する
請求項２から請求項５までのいずれか一項に記載の注射器。
【請求項７】
前記カートリッジドアが前記閉位置にあるとき、前記タブは前記窓と並び、前記窓を通して突出して、前記カートリッジドアの中に受け入れられている前記カートリッジと結合して方向を変えることにより、前記片持ち梁の方向を前記停止位置から外す、請求項６に記載の注射器。
【請求項８】
少なくとも先端が前記ハウジングの中に収まる後退位置と、少なくとも前記先端が前記ハウジングから突き出す注射位置との間で移動可能な注射針
を更に備え、
前記作動ボタン構造体は前記注射針と操作可能に接続されており、前記注射器の作動には、前記注射針を前記注射位置へ移動させることが含まれる
請求項１から請求項７までのいずれか一項に記載の注射器。
【請求項９】
前記カートリッジドアは前記ハウジングに回転可能に取り付けられている、請求項１から請求項８までのいずれか一項に記載の注射器。
【請求項１０】
注射器であって、
ハウジングと、
少なくとも先端が前記ハウジングの中に収まる後退位置と、少なくとも前記先端が前記ハウジングから突き出す注射位置との間で移動可能な注射針と、
前記ハウジングには移動可能に取り付けられ、前記注射針には操作可能に接続されており、作動前の位置から作動後の位置へと移動可能な作動ボタン構造体と、
投与対象の物質を収めたカートリッジを内部に受け入れるように構成されており、開位置と閉位置との間で回転可能に、前記ハウジングに取り付けられているカートリッジドアと、
前記ハウジングの中に取り付けられている、方向を変えることが可能な片持ち梁であって、停止位置では、前記作動ボタン構造体の少なくとも一部の下にあって、前記作動ボタン構造体が前記作動前の位置から前記作動後の位置へ移動するのを物理的に妨げる片持ち梁と
を備え、
前記作動ボタン構造体は、前記作動後の位置にあるとき、前記注射針を前記注射位置へ移動させ、
前記作動ボタン構造体が前記作動前の位置から前記作動後の位置へ移動可能であるのは、前記片持ち梁の方向が前記停止位置から外れている場合であり、
前記カートリッジドアは、前記閉位置にあって、かつ前記カートリッジを中に受け入れているとき、前記片持ち梁の方向を前記停止位置から外す
ことを特徴とする注射器。
【請求項１１】
前記作動ボタン構造体は、そこから伸びている柱を含み、
前記作動ボタン構造体が前記作動前の位置から前記作動後の位置へと移動する際、前記柱は柱用通路を通り
前記片持ち梁は、前記停止位置にあるときには前記柱用通路に位置することにより、前記柱の通行を妨げて、前記作動ボタン構造体が前記作動前の位置から前記作動後の位置へ移動するのを妨げる
請求項１０に記載の注射器。
【請求項１２】
前記片持ち梁は自由端を含み、前記片持ち梁が前記停止位置にあるとき、前記自由端は前記柱用通路に位置している、請求項１１に記載の注射器。
【請求項１３】
前記カートリッジドアはその側壁に窓を含み、前記窓は前記片持ち梁に面しており、
前記片持ち梁は、そこから前記窓に向かって突出しているタブを含み、前記カートリッジドアが前記閉位置にあるとき、前記タブは前記窓を通して前記カートリッジドアの中へ突出する
請求項１１または請求項１２に記載の注射器。
【請求項１４】
前記カートリッジドアが前記閉位置にあるとき、前記タブは前記窓と並んで前記窓を突き抜け、前記カートリッジドアの中に受け入れられている前記カートリッジと結合することにより、前記片持ち梁の方向を前記停止位置から外す、請求項１３に記載の注射器。
【国際調査報告】
2020529880.tif 000009
2020529880.tif 000010